(57)【特許請求の範囲】
【請求項１】
支持門柱と戸当り門柱との間に引戸を配置し、支持門柱に設けた戸車に上記引戸を吊り込むノンレール引戸において、上記引戸の引き込み側の上部又は下部に引戸の走行方向に沿って案内レールを有するレール部材を配置し、引戸の戸尻部に、上記案内レールを上下から挟み込む案内ローラを有する走行案内部を設けるとともに、上記走行案内部又はその近傍にワイヤリールを備えたリール式クローザを取り付け、上記支持門柱又はレール部材の支持門柱近傍位置には上記ワイヤの端部を固定したことを特徴とするノンレール引戸のクローザ機構。
【請求項２】
上記走行案内部又はその近傍にリール式クローザを取り付け、上記支持門柱又はレール部材に上記ワイヤの端部を固定することに代え、上記レール部材の上記支持門柱近傍位置に上記リール式クローザを取り付け、上記走行案内部またはその近傍に上記ワイヤの端部を固定したことを特徴とする、請求項１に記載のノンレール引戸のクローザ機構。
【発明の詳細な説明】
【技術分野】
【０００１】
本発明は、門扉に供されるノンレール引戸を開扉後に自動的に閉扉するノンレール引戸のクローザ機構に関する。
【背景技術】
【０００２】
一般に、支持門柱に引戸を地面から浮かせた状態でスライド自在に支持させることにより、戸当り門柱との間のスペースを開閉するノンレール引戸は、上記支持門柱の上下に取付けた各１対の戸車に引戸の上下に形成されたガイドレールを吊り込んだ構成になっている。
【０００３】
一方、引戸の自閉装置としては、特許文献１に示されるように、引戸自体が上吊りタイプで、病院などの建物の開口部の上部壁に設けたものが知られている。
【０００４】
また、門扉にクローザ機構を備えたものとして特許文献２に示されるものも知られている。これは、引戸の引き込み側にドアクローザとともにパンタグラフ状の伸縮枠を配置し、この枠の重力による降下力を引戸の開放方向への力に変換し、ドアクローザによる閉鎖方向の力を減衰させるものである。
【特許文献１】特開平７−１５０８５５号公報
【特許文献２】特開２００３−２２７２８３公報
【発明の開示】
【発明が解決しようとする課題】
【０００５】
しかしながら、上記いずれのものも大掛りで、ノンレール引戸にはコスト的に実現が難しいものであった。また、特許文献２のものは外部にパンタグラフ状の伸縮枠が露出するので、外観が損なわれるという問題がある。
【０００６】
本発明は上記問題点を解消し、簡単な構造で、コストも低く抑えることができ、さらには外観も損なわれることがないノンレール引戸のクローザ機構を提供することをその課題とする。
【課題を解決するための手段】
【０００７】
前記課題を解決するため、請求項１に係る発明は、支持門柱と戸当り門柱との間に引戸を配置し、支持門柱に設けた戸車に上記引戸を吊り込むノンレール引戸において、上記引戸の引き込み側の上部又は下部に引戸の走行方向に沿って案内レールを有するレール部材を配置し、引戸の戸尻部に、上記案内レールを上下から挟み込む案内ローラを有する走行案内部を設けるとともに、上記走行案内部又はその近傍にワイヤリールを備えたリール式クローザを取り付け、上記支持門柱又はレール部材の支持門柱近傍位置には上記ワイヤの端部を固定したことを特徴とする。
【０００８】
請求項２に係る発明は、上記走行案内部又はその近傍にリール式クローザを取り付け、上記支持門柱又はレール部材に上記ワイヤの端部を固定することに代え、上記レール部材の上記支持門柱近傍位置に上記リール式クローザを取り付け、上記走行案内部またはその近傍に上記ワイヤの端部を固定したことを特徴とする。
【発明の効果】
【０００９】
本発明によれば、引戸を開き方向に移動させると、リール式クローザのワイヤがリール内蔵ケースから繰り出されていくとともにゼンマイが巻き締められていく。開扉後に引戸を解放すると、上記ゼンマイの弾性復元力によりワイヤが引き戻されるから、引戸は引き込み側に引き戻され、閉扉方向に移動する。このとき、引戸の移動速度が加速されないように、クローザの制動装置が働き、上記移動速度にブレーキがかかるため、ゆっくりと移動しながら閉じるので、安全である。
【００１０】
また、従来のようなパンタグラフ状の部材がないので、構造が簡単であり、コストを低く抑えることができ、また外観もよい。
【００１１】
しかも、引戸が閉じ方向に移動するときには、クローザにより引戸の戸尻上端が引っ張られるので、引戸は持ち上がるように力が働く。しかし、上記走行案内部の上下の案内ローラがレール部材の案内レールを挟み込むように係合しているから、移動時に引戸が上下に動こうとしても、引戸は常に案内レールに沿って安定的に移動するから、円滑な開閉走行を確保することができる。
【発明を実施するための最良の形態】
【００１２】
図１はノンレール引戸の内観からの正面図で、この門は、支持門柱１と戸当り門柱２との間に引戸３を配置し、この引戸３を、特開２０００−２４８８６４公報などによって公知の機構により、上記支持門柱１の上下に設けた戸車４（図２参照）に上記引戸３を吊り込むことによってスライド可能に支持したものである。
【００１３】
上記引戸３は閉扉時には手動により支持門柱１から戸当り門柱２側に移動させて門柱間スペースを閉鎖するが、開扉時にはクローザ機構により自動的に引き込み側に移動して上記スペースを開放するように構成されている。
【００１４】
すなわち、上記引戸３の引き込み側にはクローザ支柱５が設けられ、図２〜図５に示されるように、支持門柱１とクローザ支柱５の上部には、引戸３の走行方向に沿ってレール部材６が配置され、上記支持門柱１とクローザ支柱５の上端部に同形の取付金具７を介して固定されている。このレール部材６の内部には、その長手方向に沿って案内レール８とラックレール９とが平行に設けられている。そして、案内レール８とラックレール９とはカバー１０によって覆われている。
【００１５】
なお、図５に示されるように、ラックレール９はレール部材６の底部に形成されたあり溝１１に差し込んで取り付けられている。
【００１６】
これに対し、引戸３には、その戸尻部３ａに案内ローラ１２、１３を有する走行案内部１４が設けられている。走行案内部１４は、上記戸尻部３ａに固定された第１の取付金具１５とその上部に固定された第２の取付金具１６とから構成され、上記案内ローラ１２、１３は第１の取付金具１５と第２の取付金具１６にそれぞれ配置され、図４に示されるように、上記レール部材６の案内レール８を上下から挟み込むように配置される。
【００１７】
また、上記走行案内部１４の第２の取付金具１６には、リール式クローザ１７が取り付けられている。すなわち、図２及び図３に示されるように、このクローザ１７は、ワイヤを巻装したリール内蔵ケース１８と制動装置１９とから構成されている。上記リール内蔵ケース１８内にはワイヤ２０の巻き取りリールとともに、リールがワイヤ繰り出し方向に回転すると巻き締められていくゼンマイが内蔵されている。制動装置１９は、歯車２１と歯車２１の回転に一定のブレーキをかけて回転速度を調整するダンパ機構とから構成され、ダンパ機構は円形のケース２２に内蔵されている。上記歯車２１は、レール部材６のラックレール９に噛合するように配置されている。なお、リール内蔵ケース１８と制動装置１９とを予め第２の取付金具１６に取り付けておき、この状態で第２の取付金具１６を第１の取付金具１５に固定すればよい。
【００１８】
次に、上記リール内蔵ケース１８内に巻装されたワイヤ２０は、図３に示されるように、上記ケース１８の下部から導出され、その端部２０ａは上記支持門柱１のレール部材取付金具７にネジ２３により止着されている。
【００１９】
上記構成において、引戸３を手動で図１のように戸当り門柱２まで移動させると、リール式クローザのワイヤ２０がリール内蔵ケース１８から繰り出されていくとともにゼンマイが巻き締められてエネルギーが蓄力されていく。開扉後に引戸３を解放すると、上記ゼンマイの弾性復元力によりワイヤ２０が引き戻されるから、引戸３は引き込み側に引き戻され、閉扉方向に移動する。このとき、引戸３の移動速度が加速されないように、制動装置１９が働き、レール部材６のラックレール９に噛合する歯車２１の回転にブレーキがかかるため、ゆっくりと移動する。
【００２０】
ところで、引戸３が閉じ方向に移動するときには、クローザにより引戸３の戸尻３ａの上端が引っ張られるので、引戸３は持ち上がるように動くことがあり、この場合は、制動装置１９の歯車２１がラックレール９から外れてブレーキ不良を起こす可能性がある。しかし、上記走行案内部１４の上下の案内ローラ１２、１３がレール部材６の案内レール８を挟み込むように係合しているから、移動時に引戸３が上下に動こうとしても、引戸３は常に案内レール８に沿って安定的に移動する。このため、制動装置１９の歯車２１がラックレール９から外れるような不具合がなく、円滑な開閉走行を確保することができる。
【００２１】
なお、上述の実施形態では、引戸３の走行案内部１４にリール式クローザ１７を取り付け、支持門柱１にワイヤ２０の端部を固定するものであるが、その反対に、上記レール部材６の上記支持門柱１近傍位置に上記リール式クローザを取り付け、上記走行案内部１４またはその近傍に上記ワイヤの端部を固定する構成にしてもよい。
【００２２】
また、上述の実施形態では、レール部材６とクローザ１７が上部に設けられているが、その反対に、レール部材を引戸の引き込み側の下部に引戸の走行方向に沿って配置し、それに従ってクローザを取り付ける構成であってもよい。
【００２３】
さらに、リール式クローザは上記走行案内部でなく、その近傍に設けてもよく、ワイヤの端部も、支持門柱又はレール部材に固定してもよい。
【００２４】
なお、案内レール８とラックレール９とはカバー１０によって覆われているが、このカバー１０は、図６に示されるように、レール部材６の起立板２４とＬ字形のカバー部材２５とを連結させることによって構成され、レール部材６とカバー部材２５の下部の両端は、支持門柱１とクローザ支柱５の上端部にレール部材６を取り付けるための取付金具７を介して連結されている。
【図面の簡単な説明】
【００２５】
【図１】ノンレール引き戸の正面図である。
【図２】走行案内部とクローザの取付態様説明図である。
【図３】走行案内部とクローザの取付状態を示す斜視図である。
【図４】走行案内部とクローザの要部の側面図である。
【図５】ラックレールの取付態様を示す斜視図である。
【図６】カバーの構成態様説明図である。
【符号の説明】
【００２６】
１  支持門柱
３  引戸
６  レール部材
８  案内レール
１２  案内ローラ
１４  走行案内部
１７  クローザ
２０  ワイヤ
【図１】
0004686334.tif 000002
【図２】
0004686334.tif 000003
【図３】
0004686334.tif 000004
【図４】
0004686334.tif 000005
【図５】
0004686334.tif 000006
【図６】
0004686334.tif 000007